(57)【特許請求の範囲】
【請求項１】
回転自在に軸支され、その回転方向に着磁された磁性回転体を健康履物等の磁気保健器に用いる回転磁気発生機構であって、履物底部に埋設自在の前記磁性回転体と、歩行運動を前記磁性回転体の回転運動に変換する機構とからなり、該回転運動に変換する機構は、足の踵に当接されるように設けられた板材、その下面に設けられた板材を支持する支持棒、該支持棒の上下動を案内するガイド部材、該支持棒の一側面に沿って形成されたラック、該支持棒の下方に配置され該支持棒を上昇させるバネ及び該ラックの歯にかみ合うようにして設けられたピニオンと該ピニオンに連動して動力を伝達するギア群により構成し、磁性回転体を少なくとも２つ以上備え、１の前記磁性回転体の回転運動により、その磁場の変動に伴う吸引または反発力を利用して他の磁性回転体を回転させるようにしたことを特徴とする健康履物等の磁気保健器に用いる回転磁気発生機構。
【請求項２】
前記ギア群の中に、はずみ車を設けたことを特徴とする請求項１に記載の健康履物等の磁気保健器に用いる回転磁気発生機構。
【請求項３】
回転自在に軸支され、その回転方向に着磁された磁性回転体を健康履物等の磁気保健器に用いる回転磁気発生機構であって、履物底部に埋設自在の前記磁性回転体と、歩行運動を前記磁性回転体の回転運動に変換する機構とからなり、該回転運動に変換する機構は、上下方向に蛇腹状の復元性ある樹脂製材料からなるフイゴと、該フイゴからの空気を受ける回転磁性体と同軸の空気受けから構成し、磁性回転体を少なくとも２つ以上備え、１の前記磁性回転体の回転運動により、その磁場の変動に伴う吸引または反発力を利用して他の磁性回転体を回転させるようにしたことを特徴とする健康履物等の磁気保健器に用いる回転磁気発生機構。
【請求項４】
回転自在に軸支され、その回転方向に着磁された磁性回転体を健康履物等の磁気保健器に用いる回転磁気発生機構であって、履物底部に埋設自在の前記磁性回転体と、歩行運動を前記磁性回転体の回転運動に変換する機構とからなり、該回転運動に変換する機構は、流動体を収容した複数の伸縮自在の容器を、前記流動体の流路となる管によって連結するとともに、前記履物底の底部に収容自在とし、前記磁性回転体の軸に設けられた流動体受けを前記管内に設けて構成し、磁性回転体を少なくとも２つ以上備え、１の前記磁性回転体の回転運動により、その磁場の変動に伴う吸引または反発力を利用して他の磁性回転体を回転させるようにしたことを特徴とする健康履物等の磁気保健器に用いる回転磁気発生機構。
【請求項５】
前記磁性回転体の回転軸を前記磁性回転体の重心を外すように設けたことを特徴とする請求項１乃至４の何れか１項に記載の回転磁気発生機構。
【請求項６】
請求項１乃至５の何れか１項に記載の回転磁気発生機構を備えたことを特徴とする健康履物。
【発明の詳細な説明】
【０００１】
【発明の属する技術分野】
本発明は、健康履物等の磁気保健器に用いられる変動磁場を利用した回転磁気発生機構に関する。
【０００２】
【従来の技術】
磁気の人体に及ぼす影響の研究の進展に伴い、定常磁場より変動磁場の方が人体中の血液等の体液の循環促進効果が大きいという知見が得られ、かかる知見に基づき、本発明者によって、実公平３−１００９号公報に開示されるように、回転方向に着磁した磁性回転体を軸支するとともにその外周に間隙を存して該磁性回転体の回転軸方向に卷回したコイルを配設し、該コイルにその通電電流を一定周期で正逆交互に切換える電源を接続してなる磁気保健器用回転磁気発生装置が提案されている。
前記磁気保健器用回転磁気発生装置は、例えば、直径数ｍｍ、全長２ｃｍ程度の円筒形状の小型装置として構成でき、使い勝手のよいものであった。
ところで、このように装置を小型に構成しても、内蔵電源としての電池寿命に限りがあり、かかる電池の寿命を可及的に延ばすために、本出願人は、電源の接続を磁気保健器用回転磁気発生装置の使用状態時に限ることができるようにするために、前記実公平３−１００９号公報に開示されるものにおいて、磁性回転体とコイルとを収容するケース本体に対する蓋体の閉動作時にのみコイルと電源を接続できるように構成した。
【０００３】
しかしながら、前記磁気保健器用回転磁気発生装置の場合、電池を必要とするため、電池が消耗すれば古い電池を廃棄し新しい電池を購入する必要があり、環境的に好ましいものではなかった。また、電池の取り替え作業が必要のため電池交換をしないで捨ててしまったりして、いわゆる使い捨て状態にあった。
また、前記磁気保健器用回転磁気発生装置は身体に貼着する等して取付なければならず、貼着したりはがしたりという作業が面倒だったり、衣服を着ても目立ったりする。このため、日常的に繰り返して身体に接触させることにより効果が奏される磁気保健器を購入しても無駄に終わってしまうこともあった。
【０００４】
【発明が解決しようとする課題】
そこで、本発明は、前記問題を解決すべく、電池を使用せず、意識せずに継続して使用することができる磁気保健器に用いる回転磁気発生機構を提供すること、及び足の裏や甲全体という広い範囲で変動磁場を作用させ治療効果が得られる健康履物を提供することを目的とする。
【０００５】
【課題を解決するための手段】
本発明の健康履物等の磁気保健器に用いる回転磁気発生機構は、かかる目的を達成するために、請求項１に記載の通り、回転自在に軸支され、その回転方向に着磁された磁性回転体を健康履物等の磁気保健器に用いる回転磁気発生機構であって、履物底部に埋設自在の前記磁性回転体と、歩行運動を前記磁性回転体の回転運動に変換する機構とからなり、該回転運動に変換する機構は、足の踵に当接されるように設けられた板材、その下面に設けられた板材を支持する支持棒、該支持棒の上下動を案内するガイド部材、該支持棒の一側面に沿って形成されたラック、該支持棒の下方に配置され該支持棒を上昇させるバネ及び該ラックの歯にかみ合うようにして設けられたピニオンと該ピニオンに連動して動力を伝達するギア群により構成し、磁性回転体を少なくとも２つ以上備え、１の前記磁性回転体の回転運動により、その磁場の変動に伴う吸引または反発力を利用して他の磁性回転体を回転させるようにしたことを特徴とする。
また、請求項２記載の健康履物等の磁気保健器に用いる回転磁気発生機構は、請求項１記載の回転磁気発生機構において、前記ギア群の中に、はずみ車を設けたことを特徴とする。
また、請求項３記載の健康履物等の磁気保健器に用いる回転磁気発生機構は、回転自在に軸支され、その回転方向に着磁された磁性回転体を健康履物等の磁気保健器に用いる回転磁気発生機構であって、履物底部に埋設自在の前記磁性回転体と、歩行運動を前記磁性回転体の回転運動に変換する機構とからなり、該回転運動に変換する機構は、上下方向に蛇腹状の復元性ある樹脂製材料からなるフイゴと、該フイゴからの空気を受ける回転磁性体と同軸の空気受けから構成し、磁性回転体を少なくとも２つ以上備え、１の前記磁性回転体の回転運動により、その磁場の変動に伴う吸引または反発力を利用して他の磁性回転体を回転させるようにしたことを特徴とする
また、請求項４記載の健康履物等の磁気保健器に用いる回転磁気発生機構は、  回転自在に軸支され、その回転方向に着磁された磁性回転体を健康履物等の磁気保健器に用いる回転磁気発生機構であって、履物底部に埋設自在の前記磁性回転体と、歩行運動を前記磁性回転体の回転運動に変換する機構とからなり、該回転運動に変換する機構は、流動体を収容した複数の伸縮自在の容器を、前記流動体の流路となる管によって連結するとともに、前記履物底の底部に収容自在とし、前記磁性回転体の軸に設けられた流動体受けを前記管内に設けて構成し、磁性回転体を少なくとも２つ以上備え、１の前記磁性回転体の回転運動により、その磁場の変動に伴う吸引または反発力を利用して他の磁性回転体を回転させるようにしたことを特徴とする。
また、請求項５記載の健康履物等の磁気保健器に用いる回転磁気発生機構は、請求項１乃至４に記載の回転磁気発生機構において、前記磁性回転体の回転軸を前記磁性回転体の重心を外すように設けたことを特徴とする。
また、請求項６記載の健康履物は、請求項１乃至５に記載の回転磁気発生機構を備えたことを特徴とする。
【０００６】
【実施例】
次に、本発明の実施例を図面に基づき説明する。
図１は、本発明の回転磁気発生機構をスリッパの底部に埋設し、健康履物に構成した実施の一例を示すものである。本実施例における回転磁気発生機構１０の回転磁性体１は、回転方向に２半部に区分して一方をＮ極１ａ、他方をＳ極１ｂに着磁されるとともに両端面に軸２が設けられている。そして、スリッパ３０を履いて歩行運動することによって生じる足部裏面の位置の変化量を下記に詳述する回転運動に変換する機構を介して、磁性回転体１を回転させるものである。
図２に示されるように、本実施例における歩行運動を前記磁性回転体１の回転運動に変換する機構は、ラックギア式の機構であり、足の踵に当接されるように設けられた板材１１、その下面に設けられた板材１１を支持する支持棒１２、該支持棒の上下動を案内するガイド部材１３、支持棒１２の一側面に沿って形成されたラック１４、支持棒１２の下方に配置され支持棒１２を上昇させるバネ１５及びラック１４の歯にかみ合うようにして設けられたピニオン１６とピニオン１６に連動して動力を伝達するギア群８により構成され、ケース２１に収容されるとともにスリッパ３０の踵部に埋設されている。
前記ラックギア式の機構では、前記板材１１を踵で踏み込むことにより、ラック１４を降下させ、ピニオン１６を回転させ、このピニオン１６の回転をギア群８を介して伝達し、磁性回転体１を回転させる。そして、踵を板材１１から離すとバネ１５の反発力によって板材１１は上昇する。このような、足の踏み込み、踏み上げ動作が歩行運動中に繰り返されることで磁性回転体１は回転され続けることになる。
【０００７】
本実施例では、上記ギア機構において、磁性回転体１は一方向に回転されるように、図略の一方向クラッチがギア群８中に設けられている。この一方向クラッチは、足を踏み込んだ時に、磁性回転体１に回転運動を伝達し、踏み上げ時には、回転運動を伝達しないようになっている。このように、磁性回転体１の回転方向を一方向としたのは、血液を含む体液に対して作用させる変動磁場の方向を常に一方向にすることが血行促進等に適しているからである。
前記一方向クラッチを設けたことにより、足の踏み上げ時には、磁性回転体１に回転運動が伝達されないため、磁性回転体１の回転運動が間欠的なものになってしまうおそれがある。そこで、本実施例では、図２に示されるようにギア群８の中に、はずみ車１７を設けるようして、足の踏み込み時に勢いよく磁性回転体１を回転させ、足の踏み上げから次の足の踏み込み迄の間でも、一方向に磁性回転体１が確実に回り続けることができるようにした。
尚、上記ギア機構の足の踵に設けられる板材１１には、鉄製または樹脂製のものを使用することができるが、軽量性を考慮すると樹脂製の板材であることが好ましい。
【０００８】
また、本実施例における回転磁気発生機構１０は、広い範囲において足部に変動磁場を与えることができるようにするために、図１に示されるように踵部に設けられた磁性回転体１に加え、土踏まずの位置に磁性回転体１’，１’を磁性回転体１の回転軸２の方向に沿って２個配設するとともに、つま先の位置においてもその表裏両側を挟み込むように磁性回転体１’’，１’’を磁性回転体１の回転軸２が平行に揃うようにして配置した。尚、これらの磁性回転体１’，１’，１’’，１’’は、回転自在に軸支されるようにしてあるだけのものであるが、磁性回転体１の回転運動に伴う磁場の変動、すなわち、磁性回転体１の吸引または反発力を利用して回転されるものである。これを詳述すれば、磁性回転体１’，１’は磁性回転体１によって回転され、磁性回転体１’’，１’’は、磁性回転体１によって回転される磁性回転体１’，１’の回転運動によって回転される。このように、複数の磁性回転体が回転されるものの、磁性回転体１の回転をその磁場の変動を利用して、他の磁性回転体１’，１’，１’’，１’’を連動させて回転させるようにしているので電池等を必要とせず経済的にも環境的にも優れるものである。
また、本実施例の回転磁気発生機構１０では、複数の磁性回転体を設けているので、広範囲に変動磁場を作用させ血行促進を図ることができる。また、足のつま先の位置にその表裏を挟むようにしているので、身体内部にまで深く作用させることにより、更に変動磁場による血行促進を図ることができる。
【０００９】
次に、本発明の回転磁気発生機構における歩行運動を回転磁性体の回転運動へ変換する機構の変形例についてそれぞれ説明する。
図３に示される扇歯車式の機構は、足の踵に当接されるように設けられた板材１１、その下面に設けられた板材１１を支持する支持棒１２、及び支持棒１２に長溝１８ｓによってピン１９により係合された扇歯車１８、扇歯車１８の動力を伝達するギア群８、板材１１を上昇させるための図略のバネにより構成されている。尚、扇歯車１８は、その一端の回転軸１８ｃで回転自在に軸支され、前記長溝１８ｓに係合されたピン１９の長溝１８ｓ内での移動によって回転されるようになっている。
扇歯車式の機構では、前記板材１１を踵で押すことにより、支持棒１２を降下させ、前記したように扇歯車１８を回転させ、この扇歯車１８の回転をギア群８を介して伝達し、磁性回転体１を回転させる。そして、踵を板材１１からはなすとバネの反発力により板材１１は上昇される。このような、足の踏み込み、踏み上げ動作が歩行運動中に繰り返されることで磁性回転体１は回転され続けることになる。尚、本機構のギア群には、前記ラックギア式の機構と同様にはずみ車１７及び一方向クラッチ２３を設けるようにした。
【００１０】
次に、本発明の他の実施例である回転磁気発生機構における歩行運動を回転磁性体の回転運動へ変換する機構の変形例について説明する。図５に示されるフイゴを用いた機構は、上下方向に蛇腹状の復元性ある樹脂製材料からなるフイゴ２０、フイゴからの空気を受ける回転磁性体１と同軸の空気受け２２から構成される。そして、このフイゴを用いた機構では、その上面２０ａが、踵で踏み込まれるとフイゴ内の空気が、空気吹出弁２０ｂから吹き出され、空気受け２２を回転させ、これに伴い磁性回転体１が回転される。そして、フイゴ上面２０ａから踵が離れるとフイゴ２０は元の形状に復元するとともに空気を吸入する。このような、足の踏み込み、踏み上げ動作が歩行運動中に繰り返されると磁性回転体１が回転され続けることになる。尚、本実施例においてはフイゴ２０に、空気吹出のみを行う空気吹出弁２０ｂと空気の吸い込みを行う図略の空気吹出弁とを設け、空気吹出弁２０ｂを空気受け２２側に向けて配置したので、空気吹出弁２０ｂからは空気が一方向に吹き出されるだけであるので、磁性回転体１は、一方向に回転されるようになる。
【００１１】
次に、図５または図６に示される流動体を閉空間内で往復させる機構について説明する。図５には、流動体により磁性回転体を回転させる機構の原理が示されており、図６には、この原理をスリッパ等の履物底に埋設する場合の機構が示されている。
この機構は、流動体として水が収容された２つの伸縮自在の容器２４，２５、これらの容器の復元と圧縮とを補助するバネ２６，２７、これら容器に連結される水の流路となる管２８、該管２８内の水によって回転される磁性回転体と同軸の水受け２９から構成されるものである。管２８内は、ガイド３１により上下２分割され水の往路と復路とが形成されており、ガイド３１は流路のほぼ中央で水受け２９が配置されるよう途切れている。そして、管２８は、容器２４，２５に設けられた水の往路及び復路が別路となるように選択的に開弁する一方向弁２４ｇ，２４ｂ，２５ｇ，２５ｂを介して容器２４，２５に連結されている。この機構では、容器２４が、踵で踏み込まれることにより容器２４内の水が管２８の往路を通って容器２５に向かって流れ出し、管２８内に設けられた磁性回転体１と同軸の水受け２９が回転され、磁性回転体１が回転される。そして、容器２４から、一定の水量が流出すると、容器２４は、内部に設けられたバネ２６により元の形状に復元しようとして、今度は水が容器２５から管２８の復路を通って容器２４へ向かって流れ、同様に磁性回転体１が回転される。尚、容器２５は、容器２４からの水が所定量流入すると容器２５は外部に設けられたバネ２７により元の形状に復元しようとして、容器２４に向かって水を流出するようになっている。このような、足の踏み込み、踏み上げ動作が歩行運動中に繰り返されることで磁性回転体１が回転され続ける。
【００１２】
尚、前記機構においては、流動体として水を使用したが、空気や油等、流動体であれば特に限定されるものではない。また、容器２４，２５の復元のための内部または容器２５の外部に、バネ２６，２７を設けるようにしたが、必ずしもバネに限定されるものでなく、例えば容器２４，２５自体を圧縮復元性のある弾性部材で形成するようにしたものであってもよい。
また、図６に示されるように、スリッパ３０の身体の体重のかかり易い踵部と体重がかかりにくい土踏まずの部分にそれぞれの容器２４，２５を設けるようにすれば、流動体の往復運動が速やかに行われ磁性回転体１の回転運動に最適となる。尚、図６に示される機構では、より確実に磁性回転体１を回転するために管２８と水受け２９とを磁性回転体１の両端に設けるようにした。
【００１３】
上述した実施例の回転磁気発生機構において、磁性回転体１の重心から外すようにした場合、磁性回転体１は、回転とともに振動するようになるので、変動磁場の作用に加え、物理的な刺激を加えることができるので、足裏への血行促進効果がさらに高められることとなる。
【００１４】
そして、このような回転磁気発生機構を、図１に示されるようなスリッパ３０の底部に設けて健康履物とすれば、歩行運動により磁性回転体１が回転されるので電池が不要となる。また、磁性回転体１の周囲に形成される変動磁場により足部裏面の血行が促進される。
尚、上述の実施例では、履物としてスリッパ３０を用いているが、必ずしもこれに限定されずサンダル、作業靴、またはスニーカーのように履物であれば特にこれに限定されるものではない。
【００１５】
【発明の効果】
以上説明した通り、本発明の健康履物等の磁気保健器に用いる回転磁気発生機構によれば、人間の歩行運動を磁性回転体の回転運動に変換し変動磁場を形成することができるので、電池が不要である。
また、本発明の健康履物によれば、磁気保健器を身体に貼着することが不要で意識しなくても、足の裏や甲全体に変動磁場を作用させることができる。そして、変動磁場を作用させることにより、足の裏と甲の間に新しく微弱電流が発生し、血液中のイオンが増え、自律神経の働きに変化を生じさせる結果として血液の循環が良くなり、筋肉の温度を上昇させ、足の冷えや疲労を改善させる。また、足の裏及び甲には体内機能を促進させるツボが数多くあり、回転磁場及び必要に応じて更に振動によりそれらツボを広く同時に刺激することができる。これにより体内の機能の改善を促進させることができる。
【図面の簡単な説明】
【図１】  本発明の一実施例である健康履物の説明図
【図２】  本発明の他の実施例である健康履物等の磁気保健器に用いる回転磁気発生機構の説明図
【図３】  本発明の他の実施例である健康履物等の磁気保健器に用いる回転磁気発生機構を説明するための説明図
【図４】  本発明の他の実施例である健康履物等の磁気保健器に用いる回転磁気発生機構を説明するための説明図
【図５】  本発明の他の実施例である健康履物等の磁気保健器に用いる回転磁気発生機構の原理を説明するため説明図
【図６】  本発明の他の実施例である健康履物等の磁気保健器に用いる回転磁気発生機構を説明するため説明図
【符号の説明】
１      回転磁性体
１ａ    Ｎ極
１ｂ    Ｓ極
２      軸
８      ギア群
１０    回転磁気発生機構
１１    板材
１２    支持棒
１３    ガイド部材
１４    ラック
１５    バネ
１６    ピニオン
１７    はずみ車
１８    扇歯車
１８ｃ  回転軸
１８ｓ  長溝
１９    ピン
２０    フイゴ
２０ａ  フイゴ上面
２０ｂ  空気吹出弁
２１    ケース
２４    容器
２５    容器
２６    バネ
２７    バネ
２８    管
３０    スリッパ
【図１】
0004205302.tif 000002
【図２】
0004205302.tif 000003
【図３】
0004205302.tif 000004
【図４】
0004205302.tif 000005
【図５】
0004205302.tif 000006
【図６】
0004205302.tif 000007